(57)【要約】【課題】複数の発光試薬容器を収容する包装箱において、発光試薬を用いた作業を能率的に行えるようにする。【解決手段】本体１４の天板には複数の収容孔が形成されており、それらには複数の発光試薬容器が収容される。それらの上面レベルは台座構造によって実施的に揃えられている。収容孔アレイ３２は作業対象としてのサンプルチューブ７４を保持する収容孔を有している。また本体１４とカバーとからなる箱体を包み込むスリーブには収容孔列２２が形成されている。スリーブ２０を逆さにした状態で収容孔列２２には作業後のサンプルチューブ６０が差し込まれる。【選択図】図７
2008213922.tif 000002
【特許請求の範囲】
【請求項１】
天板を有する本体を含み、
前記天板は、発光試薬を含む複数の液体を収容した複数の容器を起立保持する複数の容器収容孔と、発光測定対象であるサンプルが入れられたサンプルチューブを起立保持する補助収容孔と、を有し、
前記サンプルの発光測定に先立って、前記サンプルチューブを前記補助収容孔に差し込み、その状態で前記複数の液体を前記サンプルチューブへ注入可能である、ことを特徴とする発光試薬用包装箱。
【請求項２】
請求項１記載の包装箱において、
前記本体は、前記複数の容器収容孔に起立保持された複数の容器の内で少なくとも１つの容器に対してかさ上げを行って前記複数の容器についての高さを調整する台座構造を有し、
前記台座構造は前記複数の容器の上面高さを実質的に同一に揃える、ことを特徴とする発光試薬用包装箱。
【請求項３】
請求項１記載の包装箱において、
前記本体及びそれを覆う蓋は紙部材によって折り曲げ形成されたものである、ことを特徴とする発光試薬用包装箱。
【請求項４】
請求項１記載の包装箱において、
前記本体及びそれを覆う蓋とからなる箱体を包み込むスリーブを有する、ことを特徴とする発光試薬用包装箱。
【請求項５】
請求項４記載の包装箱において、
前記スリーブには前記サンプルチューブを起立保持する他の補助収容孔が少なくとも１つ形成された、ことを特徴とする発光試薬用包装箱。
【請求項６】
請求項１記載の包装箱において、
前記本体を覆う蓋には前記サンプルチューブを立て掛けるための構造が形成された、ことを特徴とする発光試薬用包装箱。
【発明の詳細な説明】
【技術分野】
【０００１】
本発明は発光試薬用包装箱に関し、特に、食品等のサンプルに含まれる所定成分を発光試薬を用いて測定する場合に用いられる試薬セットを収容した包装箱に関する。
【背景技術】
【０００２】
包装箱としては、以下の特許文献１，２に記載されているように、紙部材で構成された箱状のものが知られている。特許文献３には複数のバイアルを収容する包装箱が示されており、特許文献４には内容物の高さを揃える技術が開示されている。また、特許文献４には本体と蓋との締結状態を維持するスリーブが開示されている。これらの特許文献には試薬処理作業を円滑に遂行するための技術については開示されていない。
【０００３】
ところで、食物等に含まれる所定成分（例えばポリフェノール）を測定するために吸光度測定が利用される。吸光度測定に当たっては、測定対象液体としてのサンプルが収容されたサンプルチューブ内に複数の発光試薬が滴下、注入される。これによりサンプルチューブ内で発光が生じ、その発光が吸光度測定装置において観測される。測定者が複数の発光試薬を別々に揃えるのは煩雑である。また、複数の発光試薬をサンプルチューブに順次分注する場合にサンプルチューブを複数の発光試薬の近傍に置いておければ分注作業を容易に行え、またそのための時間を短縮できる。
【０００４】
【特許文献１】特開２００１−９７３７０号公報
【特許文献２】特開平１１−１１５９３０号公報
【特許文献３】特開平７−３００１５６号公報
【特許文献４】実開平６−５１１１３号公報
【発明の開示】
【発明が解決しようとする課題】
【０００５】
発光試薬測定を行うための前処理としてサンプルチューブへ複数の液体を注入する必要があるが、その場合に、サンプルチューブを手で持ちながら試薬滴下を行うのは煩雑である。なお、発光試薬を収容した複数の容器の配列や高さがバラバラであると、ピペットの移動の妨げとなり、作業効率を高められないという問題がある。
【０００６】
本発明の目的は、発光試薬測定における前処理作業の負担を軽減し、それを能率的に行えるようにする。本発明の他の目的は、包装箱の機能性を高めることにある。
【課題を解決するための手段】
【０００７】
本発明は、天板を有する本体を含み、前記天板は、発光試薬を含む複数の液体を収容した複数の容器を起立保持する複数の容器収容孔と、発光測定対象であるサンプルが入れられたサンプルチューブを起立保持する補助収容孔と、を有し、前記サンプルの発光測定に先立って、前記サンプルチューブを前記補助収容孔に差し込み、その状態で前記複数の液体を前記サンプルチューブへ注入可能である、ことを特徴とする発光試薬用包装箱に関する。
【０００８】
上記構成によれば、本体に、試薬等の液体用容器を収容する容器収容孔に加えて、サンプルチューブを収容する補助収容孔が形成されているので、その補助収容孔にサンプルチューブを差し込んだ状態で、それに対して試薬等の注入を行える。サンプルチューブを仮置きできるので作業性を向上できる。複数の補助収容孔を設けるようにしてもよい。補助収容孔は作業者から見て手前側に形成されるのが望ましいが、奥側等に形成されてもよい。
【０００９】
望ましくは、前記本体は、前記複数の容器収容孔に起立保持された複数の容器の内で少なくとも１つの容器に対してかさ上げを行って前記複数の容器についての高さを調整する台座構造を有し、前記台座構造は前記複数の容器の上面高さを実質的に同一に揃えるものである。この構成によれば、ピペットがいずれかの容器に不用意に引っかかる等の問題を軽減でき、ピペット作業の作業性を向上できる。また、各容器の上面をカバーで押圧保持してその動きを抑制することが容易となる。
【００１０】
望ましくは、前記本体及びそれを覆う前記蓋は紙部材によって折り曲げ形成されたものである。望ましくは、前記本体及びそれを覆う蓋からなる箱体を包み込むスリーブを有する。スリーブによって本体と蓋との結合状態を自然に保持できる。望ましくは、前記スリーブには前記サンプルチューブを起立保持する他の補助収容孔が少なくとも１つ形成される。補助収容孔に試薬滴下後つまり液体添加作業を終了した状態にあるサンプルチューブを仮置きすることが可能である。望ましくは、前記本体を覆う蓋には前記サンプルチューブを立て掛けるための構造が形成される。例えば、試薬添加前あるいは後のサンプルチューブを当該構造を利用して簡便に保持できる。立て掛け状態で円筒形状のサンプルチューブが自由に運動しないようにするために立て掛け構造に波形形状等の窪みを設け、そこにサンプルチューブの底部、胴部等が引っかかるようにしてもよい。
【発明の効果】
【００１１】
以上説明したように、本発明によれば、発光試薬測定における前処理作業の負担を軽減し、それを能率的に行える。あるいは、包装箱の機能性を高められる。
【発明を実施するための最良の形態】
【００１２】
以下、本発明の好適な実施形態を図面に基づいて説明する。
【００１３】
図１には、本発明に係る発光試薬キットの好適な実施形態が示されており、図１は特に包装箱の外観が示されている。本実施形態に係る発光試薬キット１０は、食品などの対象液体としてのサンプルに含まれる所定成分を測定するためのものである。本実施形態においては、特に、サンプルについて抗酸化能の測定が行われる。例えば食品中に含まれるポリフェノール等の所定成分の量によって食品の抗酸化能が評価されるが、本実施形態に係る発光試薬キットはそのような性質あるいは成分を定量的に測定するためのものである。
【００１４】
発光試薬キット１０は、大別して包装箱１２と後述する試薬キットとで構成される。包装箱１２は、図示されるように、本体１４、カバー１６及びスリーブ２０によって構成されている。それらの部材はいずれも本実施形態において厚紙によって折り曲げ形成されているが、もちろんそれには限られない。本体１４とカバ−１６とで箱体１８が構成され、その箱体１８はスリーブ２０内に差し込まれている。スリーブ２０は箱体１８の周囲を包み込むバインダとして機能する。
【００１５】
図２には、箱体１８がスリーブ２０から半分程度引き出された状態が示されている。スリーブ２０は、上板２０Ａ、測板２０Ｂ，Ｃ、底板２０Ｄを有し、その底板２０Ｄには収容孔列２２が形成されている。収容孔列２２は、箱体１８のスライド方向に並んだ複数の収容孔２４によって構成される。具体的には、後に図７を用いて説明するように、スリーブ２０を逆さにした状態において、各収容孔２４にサンプルチューブが差し込まれる。すなわち、各収容孔２４は補助的な収容孔として機能する。
【００１６】
図３には、本体１４の斜視図が示されている。上述したように、本体１４の上側が上記カバーによって覆われる。本体１４は、外枠２６及び内枠２８を有している。図３においては外枠２６と内枠２８との間に若干の隙間が見られるが、実際においてそのような隙間は存在しなくてよい。内枠２８の内部には水平に設けられた天板３０が存在しており、その天板３０には収容孔アレイ３２が形成されている。収容孔アレイ３２には、本実施形態において６つの収容孔３４，３６，３８，４０，４２，４４が含まれ、更に後述するように補助的な収容孔も含まれる。各収容孔には複数のタブ４６が設けられており、それらのタブの弾性によりそれぞれの収容孔に収容される容器が安定的に保持される。
【００１７】
図４には本体１４の上面が示されている。上述したように、天板には複数の収容孔３４，３６，３８，４０，４２，４４が形成されており、更に作業者から見て手前に補助的な収容孔４８が形成されている。後に説明するように、その収容孔４８は試薬注入作業においてサンプルを収容したサンプルチューブを仮置きする差し込み孔として機能する。
【００１８】
図５には図４に示したＡ−Ａ断面が示されており、図６には図４に示したＢ−Ｂ断面が示されている。それらの断面に示されるように、内枠２８内の空間は天板３０によって上下二分されており、すなわち空間５０，５２が形成されている。そのうち、内部空間に相当する空間５０内には台座構造が設けられており、具体的には台座５６，５８が設けられている。それらの台座５６，５８は底板５４上に折り曲げ形成されているものである。このような台座構造は各収容孔に収容された容器の上面レベルを実質的に同一にするためのものであり、上下方向の長さが短い容器についてはより嵩上げ量が大きく設定されている。このような構成により、各容器の上面レベルを揃えることができるので、カバーによってそれらの容器を安定的に押さえ込んで本体内での各容器の運動を抑制することができ、また各容器の高さが揃えられていればピペットを本体上側において運動させたいような場合でもピペットの先端が不用意にいずれかの容器に衝突してしまうようなことを回避あるいは軽減することが可能である。
【００１９】
図７には、本実施形態に係る発光試薬キットを用いた作業状態が斜視図として示されている。本体１４には上述したように収容孔アレイ３２が形成されており、収容孔アレイ３２を構成する各収容孔には発光試薬容器６２，６４，６６，６８，７０，７２が起立保持されている。それらは試薬セット６１を構成するものである。また上述した補助的な収容孔には作業対象となっているサンプルチューブ７４が差し込まれており、そのサンプルチューブ７４が起立保持されている。ちなみに、試薬セット６１は、複数の精製水、過酸化水素水、コバルト溶液、ルミノール液等によって構成されるものであり、それらを所定の順番でサンプルチューブ７４内に注入することにより吸光度測定のための事前の添加作業が行われる。
【００２０】
本体１４に隣接して裏返しの状態でスリーブ２０が置かれており、すなわちテーブル上には本体１４とスリーブ２０とが並んで設けられている。スリーブ２０の底板２０Ｄには上述したように収容孔列２２が形成されており、それは複数の収容孔２４によって構成される。各収容孔２４は補助的な収容孔であり、それらには例えば作業終了後のサンプルチューブ６０が差し込まれ、そこに仮置きされる。すなわち、本実施形態の包装箱には作業中のサンプルチューブを仮置きする場所と作業後のサンプルチューブを仮置きする場所とが設定されており、それらを利用することによって試薬添加作業の効率が高められている。
【００２１】
図８には、他の実施形態に係る発光試薬キット１００が示されている。発光試薬キット１００は、包装箱と試薬セット１０８とで構成される。
【００２２】
試薬セット１０８は上述した複数の試薬と同様の試薬を収容した複数の試薬容器によって構成される。包装箱は、本体１０２とカバー１０４とで構成され、それらは連接辺１０６を介して連なっている。本体１０２は天板１０２Ａ、底板１０２Ｆ、複数の側板１０２Ｂ，１０２Ｃ，１０２Ｄ，１０２Ｅ等を有する。天板１０２Ａには収容孔アレイ１０３が形成されている。また、天板１０２Ａには上述した補助的な収容孔１１０が形成されている。側板１０２Ｂ，１０２Ｄの上縁は波形１０２Ｇを有している。なお、図８においては収容孔１１０に収容されるサンプルチューブ１１２が波線で示されている。
【００２３】
カバー１０４は、側板１０４Ａ，１０４Ｂ，１０４Ｃ、１０４Ｄと底板１０４Ｅとを有しており、更に図示されるようにカバー１０４内を跨いで折り曲げ形成された折曲板１１４を有している。２つの側板１０４Ａ，１０４Ｃの上縁はそれぞれ波形１１３をもっており、上述した波形１０２Ｄと波形１１３とが互い違いに噛み合う関係にある。折曲板１１４の側辺も波形１１４Ａを有しており、このような波形によって複数のサンプルチューブを立てかけて保持することが可能となる。すなわち、サンプルチューブ１１６の底部が波形１１４Ａのいずれかの凹みによって保持され、サンプルチューブ１１６の胴部が波形１１３におけるいずれかの凹みに保持される。これによってサンプルチューブ１１６が横方向に転がることが効果的に防止されている。サンプルチューブ１１６は試薬添加前のサンプルチューブであってもよいし、試薬添加後のサンプルチューブであってもよい。
【００２４】
いずれにしても、図８に示す実施形態においても、作業用のサンプルチューブを仮置きする場所が複数設定されているため、試薬添加作業を能率的に行うことができるという利点がある。また図８に示す実施形態においても、本体１０２内には台座構造が設けられており、それによって各容器の上下方向の長さに合わせて嵩上げ調整がなされている。すなわち各容器の上面レベルは実質的に同一である。また図８に示される包装箱全体が厚紙によって構成されているため、低廉に包装箱を構成できるという利点がある。
【図面の簡単な説明】
【００２５】
【図１】本発明に係る発光試薬キットの好適な実施形態を示す斜視図である。
【図２】箱体をスリーブから引き出した状態を示す図である。
【図３】本体を示す斜視図である。
【図４】本体の上面を示す図である。
【図５】図４に示されるＡ−Ａ断面を示す図である。
【図６】図４に示されるＢ−Ｂ断面を示す図である。
【図７】作業状態を示す斜視図である。
【図８】他の実施形態に係る発光試薬キットを示す図である。
【符号の説明】
【００２６】
１０  発光試薬キット、１２  包装箱、１４  本体、１６  カバー、２０  スリーブ、２２  収容孔列、３０  天板、３２  収容孔アレイ、４８  収容孔。
【図１】
2008213922.tif 000003
【図２】
2008213922.tif 000004
【図３】
2008213922.tif 000005
【図４】
2008213922.tif 000006
【図５】
2008213922.tif 000007
【図６】
2008213922.tif 000008
【図７】
2008213922.tif 000009
【図８】
2008213922.tif 000010